(57)【要約】【課題】減速機等を使用することなく、風向調整ルーバを効率よく駆動することができる浴室乾燥機を提供する。【解決手段】ケーシング内には、循環系路、第１排気経路及び第２排気経路を跨ぐように、ファンが設置されており、このファンを挟んで、循環系路及び第１排気経路を跨ぐように、吸着剤ロータ１８及び温水式熱交換器が設置されている。吸着剤ロータ１８によって除湿された後、温水式熱交換器によって加熱された高温低湿の空気を浴室内に吹き出す、循環系路に設けられた給気口には、高温低湿の空気を浴室内に均一に吹き出すことによって除湿能力を高めるために、空気の吹出方向を自動的に変化させる、多数の風向板２３を有する可動式の風向調整ルーバ２１が設置されており、この風向調整ルーバ２１は、駆動モータ２０によって低速で回転する吸着剤ロータ１８の動力を利用して、多数の風向板２３が揺動するようになっている。【選択図】        図３
2005291654.tif 000002
【特許請求の範囲】
【請求項１】
浴室から吸い込んだ空気が通過する際、その空気中の水分を吸着することによって除湿する吸着剤ロータと、
前記吸着剤ロータによって除湿された空気を浴室内に吹き出す給気口に設置された、可動式の風向調整ルーバとを備えた浴室乾燥機において、
前記風向調整ルーバは、前記吸着剤ロータの動力を利用して駆動されるようになっていることを特徴とする浴室乾燥機。
【発明の詳細な説明】
【技術分野】
【０００１】
この発明は、浴室内を除湿する浴室乾燥機に関する。
【背景技術】
【０００２】
一般家庭の浴室内を衣類等の乾燥室として利用することができるように、浴室に設置される家庭用の浴室乾燥機としては、例えば、図５に示すようなものがある。この浴室乾燥機５０は、同図に示すように、ケーシング内を区画することによって、循環経路ＳＲ及び排気経路ＥＲが形成されており、循環経路ＳＲには、浴室内に開放された吸気口５１及び吹出口５２が、排気経路ＥＲには、屋外に開放された排気口５３がそれぞれ設けられている。
【０００３】
前記ケーシング内には、循環経路ＳＲ及び排気経路ＥＲを跨ぐように、ファン５４が設置されており、吸気口５１から吸い込んだ浴室内の空気の一部が、循環経路ＳＲ及び排気経路ＥＲを通って排気口５３から屋外に排出され、残りの空気が循環経路ＳＲを通って吹出口５２から浴室内に戻されるようになっている。
【０００４】
また、前記ケーシング内には、循環経路ＳＲ及び排気経路ＥＲを跨ぐように、低速で回転する吸着剤ロータ５５が設置されており、循環経路ＳＲには、ファン５４の下流側に加熱手段５６が設置されている。
【０００５】
従って、この浴室乾燥機５０を運転すると、吸気口５１から吸い込んだ浴室内の空気が吸着剤ロータ５５を通過する際、その空気中の水分が吸着剤ロータ５５に吸着され、その後、加熱手段５６によって加熱された高温低湿の空気が浴室内に戻されるので、浴室内が除湿される。
【０００６】
また、加熱手段５６によって加熱された高温低湿の空気の一部は、排気経路ＥＲに回り込み、吸着剤ロータ５５を通過して屋外に排出されるが、高温低湿の空気が吸着剤ロータ５５を通過する際、吸着されている水分が吸着剤ロータ５５から放出されるので、低下した吸着剤ロータ５５の水分吸着能力が回復し、吸着剤ロータ５５の吸着と再生とが連続的に繰返されることになる。
【０００７】
また、こういった浴室乾燥機５０では、除湿された空気を浴室内に均一に吹き出すことによって除湿能力を高めるために、吹出口５２には、自動的に揺動する可動式の風向調整ルーバが設置されており、このような風向調整ルーバは、通常、独立した専用のモータを用いて駆動することになるが、部品点数の削減や製品コストの削減を図るために、専用のモータを設けることなく、ファンの動力を利用して駆動することも提案されている。
【０００８】
【特許文献１】特開平１１−２７０８９７号公報
【発明の開示】
【発明が解決しようとする課題】
【０００９】
ところで、こういった浴室乾燥機５０に採用される風向調整ルーバは、ゆっくりと揺動させなければならないが、高速回転しているファンの動力を利用して風向調整ルーバを揺動させようとすると、高速で回転しているファンの回転速度を減速させるために、減速機を設けなければならず、部品点数の削減や製品コストの削減を効果的に行うことができないといった問題がある。
【００１０】
そこで、この発明の課題は、減速機等を使用することなく、風向調整ルーバを効率よく駆動することができる浴室乾燥機を提供することにある。
【課題を解決するための手段】
【００１１】
上記の課題を解決するため、請求項１にかかる発明は、浴室から吸い込んだ空気が通過する際、その空気中の水分を吸着することによって除湿する吸着剤ロータと、前記吸着剤ロータによって除湿された空気を浴室内に吹き出す給気口に設置された、可動式の風向調整ルーバとを備えた浴室乾燥機において、前記風向調整ルーバは、前記吸着剤ロータの動力を利用して駆動されるようになっていることを特徴とする浴室乾燥機を提供するものである。
【発明の効果】
【００１２】
以上のように、この浴室乾燥機では、通常、低速で回転している吸着剤ロータの動力を利用して、可動式の風向調整ルーバを駆動するようにしているので、高速で回転しているファンの動力を利用して風向調整ルーバを駆動する場合のように、減速機を設ける必要がなく、部品点数や製品コストを効果的に削減することができる。また、吸着剤ロータの回転に同期して風向調整ルーバが駆動されることで、吸着剤ロータによって除湿された空気が、常時、浴室内に均一に吹き出されることになり、浴室内を効果的に除湿することができる。
【発明を実施するための最良の形態】
【００１３】
以下、実施の形態について図面を参照して説明する。図１に示すように、この浴室乾燥機１は、ケーシング１１内を区画することによって、循環経路ＳＲ、第１排気経路ＥＲ１及び第２排気経路ＥＲ２が形成されており、循環経路ＳＲには、浴室内に開放された第１吸気口１２及び給気口１３が、第１排気経路ＥＲ１には、屋外に開放された第１排気口１４が、第２排気経路ＥＲ２には、浴室内に開放された第２吸気口１５及び屋外に開放された第２排気口１６がそれぞれ設けられている。
【００１４】
前記ケーシング１１内には、循環経路ＳＲ、第１排気経路ＥＲ１及び第２排気経路ＥＲ２を跨ぐように、ファン１７が設置されており、第１吸気口１２から吸い込んだ浴室内の空気の一部が、循環経路ＳＲ及び第１排気経路ＥＲ１を通って第１排気口１４から屋外に排出され、残りの空気が循環経路ＳＲを通って給気口１３から浴室内に吹き出されると共に、第２吸気口１５から吸い込んだ浴室内の空気が、第２排気経路ＥＲ２を通って第２排気口１６から屋外に排出されるようになっている。
【００１５】
また、前記ケーシング１１内には、循環経路ＳＲ及び第１排気経路ＥＲ１を跨ぐように、循環経路ＳＲにおけるファン１７の上流側及び第１排気経路ＥＲ１におけるファン１７の下流側に、低速回転することで、循環経路ＳＲ側と第１排気経路ＥＲ１側とを交互に通過する吸着剤ロータ１８が設置されており、ケーシング１１内には、循環経路ＳＲ及び第１排気経路ＥＲ１を跨ぐように、循環経路ＳＲにおけるファン１７の下流側及び第１排気経路ＥＲ１におけるファン１７の上流側に加熱手段としての温水式熱交換器１９が設置されている。なお、図２に示すように、吸着剤ロータ１８は、吸着側と再生側とが、還気経路ＳＲ及び第１排気経路ＥＲ１を区画している仕切体Ｄによって仕切られている。
【００１６】
従って、この浴室乾燥機１では、第１吸気口１２から循環経路ＳＲに導入された浴室内の空気が、吸着剤ロータ１８を通過する際、空気中の水分が吸着剤ロータ１８に吸着されることによって除湿された後、温水式熱交換器１９によって加熱されるので、給気口１３からは、高温低湿の空気が浴室内に吹き出されることになり、これによって、浴室内が除湿されると共に、循環経路ＳＲにおいて生成された高温低湿の空気の一部は、循環経路ＳＲから第１排気経路ＥＲ１に回り込んで、温水式熱交換器１９によって再び加熱された後、再度、吸着剤ロータ１８を通過して、第１排気口１４から屋外に排出されるので、高温の空気が吸着剤ロータ１８を通過する際、既に吸着されている水分が吸着剤ロータ１８から放出され、水分を吸着することによって低下した吸着剤ロータ１８の水分吸着能力が回復するようになっている。また、第２吸気口１５から第２排気経路ＥＲ２に導入された浴室内の空気は、第２排気口１６からそのまま屋外に排出されるので、第１排気経路ＥＲ１及び第２排気経路ＥＲ２を通って屋外に排出される空気量に相当する浴室外の低湿空気が、浴室の扉等に形成された空気導入口から浴室内に導入され、これによっても、浴室内が除湿されることになる。
【００１７】
前記吸着剤ロータ１８は、図３に示すように、その外周面にギヤ１８ａが形成されており、このギヤ１８ａと駆動モータ２０の回転軸に装着されたギヤ２０ａとが相互に歯合しているので、駆動モータ２０が作動すると、吸着剤ロータ１８が低速で回転するようになっている。
【００１８】
また、この浴室乾燥機１では、除湿された空気を浴室内に均一に吹き出すことによって除湿能力を高めるために、空気の吹出方向を自動的に変化させる可動式の風向調整ルーバが給気口１３に設置されており、図３に示すように、この風向調整ルーバ２１は、駆動モータ２０によって低速で回転する吸着剤ロータ１８の動力を利用して、駆動されるようになっている。
【００１９】
風向調整ルーバ２１は、図３及び図４に示すように、給気口１３に取り付けられた固定部２２に、一定間隔で揺動可能に支持された多数の風向板２３と、それぞれの風向板２３の後端部がピン結合された操作部材２４とを備えており、操作部材２４が横方向に進退することによって、各風向板２３が同時に揺動するようになっている。
【００２０】
前記操作部材２４は、動力伝達機構を介して、吸着剤ロータ１８に連結されており、動力伝達機構は、吸着剤ロータ１８の回転駆動力を操作部材２４の進退駆動力として伝達するようになっている。
【００２１】
この動力伝達機構は、吸着剤ロータ１８の外周面に形成されたギヤ１８ａに歯合するギヤ２５と、このギヤ２５が装着された駆動軸２６と、クラッチ２７を介して、駆動軸２６に連結される従動軸２８と、この従動軸２８に装着されたカム板２９と、操作部材２４の一端側に形成された、カム板２９が当接する一対のカム面２４ａ、２４ｂとから構成されており、駆動軸２６が回転することに伴って、従動軸２８が回転すると、図４（ａ）〜（ｃ）に示すように、カム板２９が回転してカム面２４ａ、２４ｂを押圧するので、操作部材２４が横方向に進退し、これに伴って、風向板２３が揺動することになる。なお、浴室乾燥機１の運転中に、風向板２３の揺動を停止したい場合は、クラッチ２７によって、駆動軸２６から従動軸２８への動力伝達を遮断すればよい。
【００２２】
以上のように、この浴室乾燥機１では、低速回転している吸着剤ロータ１８の動力を利用して、可動式の風向調整ルーバ２１を駆動するようにしているので、高速で回転しているファンの動力を利用して風向調整ルーバを駆動する場合のように、減速機を設ける必要がなく、部品点数や製品コストを効果的に削減することができる。
【００２３】
なお、上述した実施形態では、駆動軸２６から従動軸２８への動力伝達を遮断するためのクラッチ２７を設けているが、これに限定されるものではなく、浴室乾燥機の運転中、即ち、吸着剤ロータ１８が回転している間は、必ず、風向調整ルーバ２１を駆動するのであれば、クラッチを設けることなく、駆動軸２６にカム板２９を直接装着してもよい。
【００２４】
また、上述した実施形態では、吸着剤ロータ１８の回転運動を、カム板２９及びカム面２４ａ、２４ｂからなるカム機構によって、操作部材２４の進退運動に変換しているが、これに限定されるものではなく、種々の動力変換機構を採用することができることはいうまでもない。
【図面の簡単な説明】
【００２５】
【図１】この発明にかかる浴室乾燥機の一実施形態を示す概略構成図である。
【図２】同上の浴室乾燥機に搭載されている吸着剤ユニットを示す正面図である。
【図３】同上の浴室乾燥機に採用されている風向調整ルーバの駆動機構を概略的に示す斜視図である。
【図４】（ａ）〜（ｃ）は同上の風向調整ルーバの動作を示す動作説明図である。
【図５】浴室乾燥機の一例を示す概略構成図である。
【符号の説明】
【００２６】
１  浴室乾燥機
１１  ケーシング
１２  第１吸気口
１３  給気口
１４  第１排気口
１５  第２吸気口
１６  第２排気口
１７  ファン
１８  吸着剤ロータ
１８ａ  ギヤ
１９  温水式熱交換器
２０  駆動モータ
２０ａ  ギヤ
２１  風向調整ルーバ
２２  固定部
２３  風向板
２４  操作部材
２４ａ、２４ｂ  カム面
２５  ギヤ
２６  駆動軸
２７  クラッチ
２８  従動軸
２９  カム板
【図１】
2005291654.tif 000003
【図２】
2005291654.tif 000004
【図３】
2005291654.tif 000005
【図４】
2005291654.tif 000006
【図５】
2005291654.tif 000007